(57)【特許請求の範囲】
【請求項１】
一つの胴回り開口及び一対の脚回り開口を備えるパンツ型の使い捨てオムツであって、
それぞれ長方形状の、前側部分と後側部分と股部分とを備え、
前側部分及び後側部分はオムツ展開時に縦方向に互いに離間され、
股部分は横断方向中間位置を縦方向に延びて前側部分及び後側部分に接合されており、
前記オムツは更に、前記前側部分、前記後側部分及び前記股部分に接合された、伸長性又は伸縮性を有する四角形状の脚回りシートを備え、
脚回りシートは、股部分の一側において前側部分と後側部分との間の間隙に配置された第１の脚回りシート部分と、股部分の他側において前側部分と後側部分との間の間隙に配置された第２の脚回りシート部分とを含み、
第１の脚回りシート部分の外方側縁領域どうしが互いに接合され、かつ第２の脚回りシート部分の外方側縁領域どうしが互いに接合されており、
第１の脚回りシート部分及び第２の脚回りシート部分はそれぞれ、リング状の脚回り開口を形成するための切欠き又は切抜きを備え、
前記切欠き又は切抜きないし該切欠きによって画定される凹部は、前記脚回り開口の周長又は内径が着用者の脚の周長又は外径よりも小さく、
第１の脚回りシート部分及び第２の脚回りシート部分はそれぞれ、前側部分及び後側部分よりも伸度が高い材料から構成され、
第１の脚回りシート部分の縦方向両周縁領域及び内方側縁領域は股部分の一側においてそれぞれ、非伸長状態又は低伸長状態にあり、かつ前側部分の下縁領域及び後側部分の下縁領域並びに股部分の側縁領域に接合されており、
第２の脚回りシート部分の縦方向両周縁領域及び内方側縁領域は股部分の他側においてそれぞれ、非伸長状態又は低伸長状態にあり、かつ前側部分の下縁領域及び後側部分の下縁領域並びに股部分の側縁領域に接合されており、
第１の脚回りシート部分及び第２の脚回りシート部分はそれぞれ、脚回り開口周りにおいてシワを有しておらず、
第１の脚回りシート部分及び第２の脚回りシート部分はそれぞれ伸長可能領域を備え、一対の脚周り開口はそれぞれ、第１の脚回りシート部分の伸長可能領域及び第２の脚回りシート部分の伸長可能領域によって囲まれており、
第１の脚回りシート部分及び第２の脚回りシート部分はそれぞれ、脚回り開口に沿った弾性部材を有していない、
使い捨てオムツ。
【請求項２】
第１の脚回りシート部分の縦方向周縁領域がそれぞれ前側部分の下縁領域及び後側部分の下縁領域に、横断方向にほぼ沿って接合され、第１の脚回りシート部分の内方側縁領域が股部分の側縁領域に、縦方向にほぼ沿って接合され、第２の脚回りシート部分の縦方向周縁領域がそれぞれ前側部分の下縁領域及び後側部分の下縁領域に、横断方向にほぼ沿って接合され、第２の脚回りシート部分の内方側縁領域が股部分の側縁領域に、縦方向にほぼ沿って接合される、請求項１に記載の使い捨てオムツ。
【請求項３】
第１の脚回りシート部分の切欠き又は切抜きの縁は、第１の脚回りシート部分と前側部分、後側部分及び股部分との間の接合領域から離れており、
第２の脚回りシート部分の切欠き又は切抜きの縁は、第２の脚回りシート部分と前側部分、後側部分及び股部分との間の接合領域から離れている、
請求項１又は２に記載の使い捨てオムツ。
【請求項４】
前記切欠き又は切抜きが横断方向に細長い、請求項３に記載の使い捨てオムツ。
【請求項５】
前記切欠き又は切抜きの横断方向長さがオムツの横断方向長さの３分の１以下である、請求項３又は４に記載の使い捨てオムツ。
【請求項６】
前記第１の脚回りシート部分及び第２の脚回りシート部分はそれぞれ、少なくとも２方向に伸長性を有する、請求項１から５までのいずれか一項に記載の使い捨てオムツ。
【請求項７】
前記第１の脚回りシート部分及び第２の脚回りシート部分はそれぞれ、少なくとも２方向に伸縮性を有する、請求項１から６までのいずれか一項に記載の使い捨てオムツ。
【請求項８】
前記第１の脚回りシート部分及び第２の脚回りシート部分が互いに別の部材から構成される、請求項１から７までのいずれか一項に記載の使い捨てオムツ。
【請求項９】
前記第１の脚回りシート部分及び第２の脚回りシート部分が単一の部材から構成される、請求項１から７までのいずれか一項に記載の使い捨てオムツ。
【発明の詳細な説明】
【技術分野】
【０００１】
本発明は使い捨てオムツに関する。
【背景技術】
【０００２】
一つの胴回り開口及び一対の脚回り開口を備える使い捨てオムツであって、オムツ展開時に縦方向に互いに離間された前側部分及び後側部分と、これら前側部分及び後側部分に接合された弾性シートとを備え、前側部分及び後側部分の側縁領域同士がそれぞれ、テープファスナによって接合される、使い捨てオムツが公知である（特許文献１参照）。このようにすると、着用者に弾性シートが接触するので、オムツが着用者の動きに容易に追従し、オムツのズレ下がりを抑制することができる。
【先行技術文献】
【特許文献】
【０００３】
【特許文献１】特開２００１−８９６８号公報
【発明の概要】
【発明が解決しようとする課題】
【０００４】
しかしながら、上述のオムツでは、テープファスナが弾性シートから離間した位置にあるので、前側部分に隣接する弾性シート部分と後側部分に隣接する弾性シート部分とが互いに接合されていない。その結果、着用者の動きによって脚回り開口が大きく拡げられ、弾性シートが着用者から離脱するおそれがある。したがって、オムツのズレ下がりを十分に抑制できないおそれがある。また、前側部分に隣接する弾性シート部分と後側部分に隣接する弾性シート部分とが互いに接合されていないので、当該弾性シート部分が前側部分及び後側部分から分離するおそれもある。
【課題を解決するための手段】
【０００５】
本発明によれば、一つの胴回り開口及び一対の脚回り開口を備えるパンツ型の使い捨てオムツであって、前側部分と後側部分と股部分とを備え、前側部分及び後側部分はオムツ展開時に縦方向に互いに離間され、股部分は横断方向中間位置を縦方向に延びて前側部分及び後側部分に接合され、前記オムツは更に、伸長性又は伸縮性を有する脚回りシートを備え、脚回りシートは、股部分の一側において前側部分と後側部分との間の間隙に配置された第１の脚回りシート部分と、股部分の他側において前側部分と後側部分との間の間隙に配置された第２の脚回りシート部分とを含み、第１の脚回りシート部分及び第２の脚回りシート部分はそれぞれ、前側部分及び後側部分よりも伸度が高い材料から構成され、第１の脚回りシート部分の縦方向両周縁領域及び内方側縁領域は股部分の一側においてそれぞれ、前側部分の下縁領域及び後側部分の下縁領域並びに股部分の側縁領域に、非伸長状態又は低伸長状態でもって接合され、第２の脚回りシート部分の縦方向両周縁領域及び内方側縁領域は股部分の他側においてそれぞれ、前側部分の下縁領域及び後側部分の下縁領域並びに股部分の側縁領域に、非伸長状態又は低伸長状態でもって接合され、第１の脚回りシート部分及び第２の脚回りシート部分はそれぞれ伸長可能領域を備え、一対の脚周り開口はそれぞれ、第１の脚回りシート部分の伸長可能領域及び第２の脚回りシート部分の伸長可能領域によって囲まれており、第１の脚回りシート部分及び第２の脚回りシート部分はそれぞれ、脚回り開口周りにおいてシワを有していない、使い捨てオムツが提供される。
【発明の効果】
【０００６】
オムツが着用者に密着し続けるのを促進することができる。
【図面の簡単な説明】
【０００７】
【図１】本発明による第１実施例の使い捨てオムツの平面図である。
【図２】図１のオムツの展開図である。
【図３】図２の線ＩＩＩ−ＩＩＩに沿ってみた断面図である。
【図４】従来の使い捨てオムツの展開図である。
【図５】切欠きの別の実施例を示す図である。
【図６】切抜きを有する実施例を示す図である。
【図７】切欠きの寸法を説明する図である。
【図８】本発明による第２実施例の使い捨てオムツの平面図である。
【図９】図８のオムツの展開図である。
【図１０】図９の線Ｘ−Ｘに沿ってみた断面図である。
【図１１】股部分の一例を示す図２と同様の展開図である。
【図１２】図１１の線ＸＩＩ−ＸＩＩに沿ってみた断面図である。
【発明を実施するための形態】
【０００８】
図１、図２及び図３は本発明による第１実施例を示している。なお、図２において、Ｌはオムツ１の縦方向を、Ｔは縦方向に直交する横断方向を、それぞれ示している。
【０００９】
図１、図２及び図３を参照すると、パンツ型の使い捨てオムツ１は前側部分４Ｆ、後側部分４Ｂ及び股部分４Ｃを備える。前側部分４Ｆ及び後側部分４Ｂはそれぞれ着用時に着用者の腹側及び背側に位置する。
【００１０】
前側部分４Ｆ及び後側部分４Ｂはそれぞれ長方形状をなしており、展開時に縦方向Ｌに互いに離間して配置される。また、前側部分４Ｆ及び後側部分４Ｂにはそれぞれ、横断方向Ｔに互いにほぼ平行に延びる複数の弾性部材５Ｆ，５Ｂが設けられる。特に図３に示されるように、前側部分４Ｆ及び後側部分４Ｂはそれぞれ互いに重ねられた２枚の液不透過性シートを備え、弾性部材５Ｆ，５Ｂはこれらシート間に伸長状態で配置されてこれらシートに固定される。なお、前側部分４Ｆ及び後側部分４Ｂの下縁領域４ＦＢ，４ＢＢには弾性部材５Ｆ，５Ｂが設けられていない。
【００１１】
股部分４Ｃも長方形状をなし、縦方向Ｌに延びて横断方向中間位置において前側部分４Ｆ及び後側部分４Ｂに接合される。この場合、股部分４Ｃの縦方向周縁領域４ＣＦ，４ＣＢがそれぞれ前側部分４Ｆ及び後側部分４Ｂの下縁領域４ＦＢ，４ＢＢに接合される。その結果、股部分４Ｃは着用時に着用者の股部に位置する。
【００１２】
この股部分４Ｃは、例えば、着用者の肌側に位置する液透過性のトップシートと、液不透過性のバックシートと、これらトップシートとバックシートとの間に保持された吸収体とを備える。吸収体は例えば繊維集合体及び高吸収ポリマー粒子を備える吸収コアを含む。繊維集合体は例えば粉砕パルプ及び熱可塑性合成繊維の一方又は両方から構成される。また、この吸収コアを包むラップシートを設けてもよく、あるいは、ラップシートを省略することもできる。
【００１３】
オムツ１は更に、概ね四角形状の一対の脚回りシート部分６Ｌ，６Ｒを備え、すなわち図１及び図２において股部分４Ｃの左側に位置する左方脚回りシート部分６Ｌと、股部分４Ｃの右側に位置する右方脚回りシート部分６Ｒとを備える。脚回りシート部分６Ｌ，６Ｒは伸長性又は伸縮性を有し、好ましくは伸縮性を有する。
【００１４】
脚回りシート部分６Ｌ，６Ｒの伸度は前側部分４Ｆ及び後側部分４Ｂを構成するシートの伸度よりも高く、好ましくは１４０％以上であり、さらに好ましくは１８０％以上である。ここで、シート材の伸度は次のようにして求められる。すなわち、自然状態にあるシート材に５０ｍｍの線分を描き、次いでシート材を引っ張って伸長させ、完全に伸長したときの線分の長さＢ（ｍｍ）を測定する。次いで、次式を用いて伸度が算出される。
【００１５】
伸度＝Ｂ／５０ｘ１００（％）
【００１６】
更に、脚回りシート部分６Ｌ，６Ｒは液不透過性、撥水性、及び通気性のうち少なくとも一つを有する。
【００１７】
脚回りシート部分は伸長性シート又は伸縮性シートから構成できる。伸長性シートとして、例えば、ポリエチレン、ポリプロピレン等の熱可塑性樹脂フィルムを用いることができる。あるいは、熱可塑性樹脂フィルムに、部分的に切断され又は脆弱化された非伸長性不織布を貼り合わせた複合シートから構成することもできる。一方、伸縮性シートとして、例えば、ウレタン、スチレンのような熱可塑性エラストマ樹脂を溶融した伸縮繊維からなる不織布、伸縮繊維からなる不織布に、部分的に切断され又は脆弱化された非伸長性不織布を貼り合わせた複合シートから構成することもできる。
【００１８】
前側部分４Ｆ及び後側部分４Ｂはそれぞれ、非伸縮性もしくは伸縮性不織布シート、プラスチックシート等から構成できる。具体的には、例えば、目付が約１０〜４０ｇ／ｍ２の範囲にある、スパンボンド不織布、ポイントボンド不織布、ＳＭＳ（スパンボンド・メルトブローン・スパンバンド）不織布、不透液性のプラスチックフィルム、それらのラミネート等を用いることができる。伸縮性シートとして、例えば、ウレタン、スチレンのような熱可塑性エラストマ樹脂を溶融した伸縮繊維からなる不織布等を用いることができる。
【００１９】
左方脚回りシート部分６Ｌの縦方向周縁領域６ＬＦ，６ＬＢは股部分４Ｃの左方においてそれぞれ、前側部分４Ｆの下縁領域４ＦＢ及び後側部分４Ｂの下縁領域４ＢＢに接合される。また、左方脚回りシート部分６Ｌの内方側縁領域６ＬＩは、股部分４Ｃの左方側縁領域４ＣＬに接合される。その結果、股部分４Ｃの左方において前側部分４Ｆと後側部分４Ｂとの間の間隙７Ｌに左方脚回りシート部分６Ｌが配置される。
【００２０】
同様に、右方脚回りシート部分６Ｒの縦方向周縁領域６ＲＦ，６ＲＢは股部分４Ｃの右方においてそれぞれ、前側部分４Ｆの下縁領域４ＦＢ及び後側部分４Ｂの下縁領域４ＢＢに接合される。また、右方脚回りシート部分６Ｒの内方側縁領域６ＲＩは、股部分４Ｃの右方側縁領域４ＣＲに接合される。その結果、股部分４Ｃの右方において前側部分４Ｆと後側部分４Ｂとの間の間隙７Ｒに右方脚回りシート部分６Ｒが配置される。
【００２１】
ここで、前側部分４Ｆ，後側部分４Ｂ，股部分４Ｃ，左方脚回りシート部分６Ｌ及び右方脚回りシート部分６Ｒは例えばホットメルト接着剤Ａ（図３）でもって、互いに接合される。
【００２２】
この場合、脚回りシート部分６Ｌ，６Ｒはそれぞれ、前側部分４Ｆ，後側部分４Ｂ及び股部分４Ｃに、非伸長状態又は低伸長状態でもって接合される。すなわち、脚回りシート部分６Ｌ，６Ｒはそれぞれ、１．０から１．５倍に伸長された状態で、前側部分４Ｆ，後側部分４Ｂ及び股部分４Ｃに接合される。この場合の伸長方向は縦方向でもよいし、横断方向でもよい。
【００２３】
特に図２に示されるように、オムツ１は展開時に、その両側縁１ＬＥ，１ＲＥからそれぞれ内方に向かう凹部１ＤＬ，１ＤＲを有する。本発明による第１実施例では、左方脚回りシート部分６Ｌは外方側縁６ＬＯＥから内方に向かう切欠き６ＬＣを有し、右方脚回りシート部分６Ｒは外方側縁６ＲＯＥから内方に向かう切欠き６ＲＣを有しており、上述の凹部１ＤＬ，１ＤＲはこれら切欠き６ＬＣ，６ＲＣによって画定される。なお、本発明による第１実施例では、切欠き６ＬＣ，６ＲＣはそれぞれ、横断方向Ｔに延びる長軸を有する半楕円状をなしている。
【００２４】
その上で、凹部１ＤＬないし切欠き６ＬＣの前側開始端６ＬＣＦに隣接する左方脚回りシート部分６Ｌの外方側縁領域６ＬＯＦと、凹部１ＤＲないし切欠き６ＬＣの後側開始端６ＬＣＢに隣接する左方脚回りシート部分６Ｌの外方側縁領域６ＬＯＢとが互いに接合される。また、前側部分４Ｆの左方側縁領域４ＦＬと後側部分４Ｂの左方側縁領域４ＢＬとが互いに接合される。
【００２５】
同様に、切欠き６ＲＣの前側開始端６ＲＣＦに隣接する右方脚回りシート部分６Ｒの外方側縁領域６ＲＯＦと、切欠き６ＲＣの後側開始端６ＲＣＢに隣接する右方脚回りシート部分６Ｒの外方側縁領域６ＲＯＢとが互いに接合される。また、前側部分４Ｆの右方側縁領域４ＦＲと後側部分４Ｂの右方側縁領域４ＢＲとが互いに接合される。
【００２６】
その結果、図１に示されるように、左方脚回りシート部分６Ｌによって左方脚回り開口１ＬＬが画定され、右方脚回りシート部分６Ｒによって右方脚回り開口１ＬＲが画定される。また、前側部分４Ｆ及び後側部分４Ｂによって一つの胴回り開口１Ｗが画定される。
【００２７】
ここで、左方脚回りシート部分６Ｌの外方側縁領域６ＬＯＦ，６ＬＯＢ、右方脚回りシート部分６Ｒの外方側縁領域６ＲＯＦ，６ＲＯＢ、前側部分４Ｆ及び後側部分４Ｂの左方側縁領域４ＦＬ，４ＢＬ及び右方側縁領域４ＦＲ，４ＢＲはそれぞれ、例えばソニックシールによってそれぞれ接合され、したがって再接合不能にそれぞれ接合される。その結果、オムツ１はパンツ形状をなしている。
【００２８】
脚周りシート部分６Ｌ，６Ｒのうち前側部分４Ｆ，後側部分４Ｂ及び股部分４Ｃに接合されていない領域は、比較的自由に伸長することができる。このような領域を伸長可能領域６ＬＥＸ，６ＲＥＸと称すると、脚周りシート部分６Ｌ，６Ｒは伸長可能領域６ＬＥＸ，６ＲＥＸをそれぞれ備えている。
【００２９】
左方脚回りシート部分６Ｌの切欠き６ＬＣの縁は、左方脚回りシート部分６Ｌと前側部分４Ｆ、後側部分４Ｂ及び股部分４Ｃとの間の接合領域から離れている。したがって、左方脚回り開口１ＬＬは左方脚回りシート部分６Ｌの伸長可能領域６ＬＥＸによって囲まれている。
【００３０】
同様に、右方脚回りシート部分６Ｒの切欠き６ＲＣの縁は、右方脚回りシート部分６Ｒと前側部分４Ｆ、後側部分４Ｂ及び股部分４Ｃとの間の接合領域から離れている。したがって、右方脚回り開口１ＬＲは右方脚回りシート部分６Ｒの伸長可能領域６ＲＥＸによって囲まれている。
【００３１】
また、脚回り開口１ＬＬ，１ＬＲ周りの脚回りシート部分６Ｌ，６Ｒにはシワが形成されていない。すなわち、脚回り開口１ＬＬ，１ＬＲ周りの脚回りシート部分６Ｌ，６Ｒのシワの高さが０．５ｍｍ以下である。
【００３２】
シワの高さは、尾崎製作所社製、ダイヤルシックネスゲージを用いて測定される。この場合、直径１０ｍｍの測定端子が用いられ、測定されるべき脚回りシート部分６Ｌ，６Ｒに２．８ｇｆ／ｃｍ２の荷重が印加される。脚回り開口１ＬＬ，１ＬＲ周りの脚回りシート部分６Ｌ，６Ｒのシワの高さが１０ｍｍごとに測定される。これら測定値の平均値が脚回りシート部分６Ｌ，６Ｒのシワの高さとして算出される。
【００３３】
本発明による第１実施例では、脚回り開口１ＬＬ，１ＬＲの周長又は内径が着用者の脚の周長又は外径よりも小さくなるように、切欠き６ＬＣ，６ＲＣないし凹部１ＤＬ，１ＤＲが形成されている。
【００３４】
着用時には、脚回り開口１ＬＬ，１ＬＲに着用者の脚がそれぞれ通され、オムツ１が引き上げられる。この場合、脚回りシート部分６Ｌ，６Ｒの伸長可能領域６ＬＥＸ，６ＲＥＸは着用者の脚の形状に応じて伸長する。したがって、脚回りシート部分６Ｌ，６Ｒが着用者に密着する。
【００３５】
しかも、左方脚回りシート部分６Ｌ及び右方脚回りシート部分６Ｒがリング状をなしているので、脚回りシート部分６Ｌ，６Ｒが着用者の脚の全周にわたって密着し続けることができる。その結果、一対の脚回り開口１ＬＬ，１ＬＲからのモレを確実に抑制することができる。また、脚回りシート部分６Ｌ，６Ｒが前側部分４Ｆ及び後側部分４Ｂから分離するのを抑制することもできる。
【００３６】
一方、上述したように、脚回りシート部分６Ｌ，６Ｒの伸度は前側部分４Ｆ及び後側部分４Ｂを構成するシートの伸度よりも高い。言い換えると、前側部分４Ｆ及び後側部分４Ｂは脚回りシート部分６Ｌ，６Ｒよりも伸長しにくい。したがって、脚回りシート部分６Ｌ，６Ｒが過度に伸張するのが抑制される。
【００３７】
ここで、左方脚回りシート部分６Ｌの外方側縁領域６ＬＯＦ，６ＬＯＢの縦方向長さＬＬＯ（図１）、及び右方脚回りシート部分６Ｒの外方側縁領域６ＲＯＦ，６ＲＯＢの縦方向長さＬＲＯ（図１）はそれぞれ、５ｍｍ以上であるのが好ましい。
【００３８】
脚回りシート部分６Ｌ，６Ｒは少なくとも２方向、例えば互いに直交する２方向に伸長性又は伸縮性を有するのが好ましく、例えば縦方向Ｌ及び横断方向Ｔに伸長性又は伸縮性を有するのが好ましい。変更可能には、脚回りシート部分６Ｌ，６Ｒは一方向にのみ伸長性又は伸縮性を有してもよく、切欠き６ＬＣ，６ＲＣが横断方向に延びる半楕円状の場合には、脚回りシート部分６Ｌ，６Ｒは横断方向Ｔに伸長性又は伸縮性を有するのが好ましい。
【００３９】
更に、上述したように、脚回りシート部分６Ｌ，６Ｒにシワが設けられていない。また、脚回りシート部分６Ｌ，６Ｒは、前側部分４Ｆ，後側部分４Ｂ及び股部分４Ｃに非伸長状態又は低伸長状態でもって接合される。その結果、脚回りシート部分６Ｌ，６Ｒが線接触ではなく面接触の形で着用者に接するので、着用者に対する脚回りシート部分６Ｌ，６Ｒの密着性が高められる。
【００４０】
このように、脚周り開口１ＬＬ，１ＬＲからのモレが抑制されている。その結果、脚周りシート部分６Ｌ，６Ｒが液透過性を有している場合には、着用者の身体とオムツ１との間に形成される空間が尿を一時的に貯留する貯留空間として機能する。したがって、１回の排尿で多量の尿が排泄されたとしても、モレを確実に抑制することができる。なお、貯留空間内の尿は徐々に吸収体に吸収される。
【００４１】
しかも、本発明による第１実施例では、例えば吸収体４ＣＡの両側縁に沿いつつ立ち上がる防漏部材が設けられていない。その結果、貯留空間の容積が大きくなる。したがって、モレを更に確実に抑制することができる。
【００４２】
本発明による第１実施例では、更に、脚回りシート部分６Ｌ，６Ｒの接合領域が縦方向及び横断方向にほぼ沿って形成される。具体的には、左方脚回りシート部分６Ｌの縦方向周縁領域６ＬＦ，６ＬＢがそれぞれ、前側部分４Ｆの下縁領域４ＦＢ及び後側部分４Ｂの下縁領域４ＢＢに、横断方向Ｔにほぼ沿って接合され、左方脚回りシート部分６Ｌの内方側縁領域６ＬＩが、股部分４Ｃの左方側縁領域４ＣＬに、縦方向Ｌにほぼ沿って接合される。同様に、右方脚回りシート部分６Ｒの縦方向周縁領域６ＲＦ，６ＲＢがそれぞれ、前側部分４Ｆの下縁領域４ＦＢ及び後側部分４Ｂの下縁領域４ＢＢに、横断方向Ｔにほぼ沿って接合され、右方脚回りシート部分６Ｒの内方側縁領域６ＲＩが、股部分４Ｃの右方側縁領域４ＣＲに、縦方向Ｌにほぼ沿って接合される。このようにすると、展開状態におけるオムツ１の縦方向長さ及び横断方向長さを大幅に短くすることができ、したがってオムツ１の製造に必要な資材の量を大幅に低減することができる。このことを、図４を参照して説明する。
【００４３】
図４に示される従来の使い捨てオムツ１０は、外装体１１、内装体１２、外装体１１に形成されて脚回り開口を形成するための切欠き１３、脚回り開口に沿って外装体１１に配置された弾性部材１４を具備する。このオムツ１０では、脚回り開口周りの外装体１１が弾性部材１４によって収縮され、着用者の脚に押し付けられる。オムツの製造時、弾性部材１４は、サインカーブ状に振動されながら、搬送方向ＭＤに搬送される外装体ウエブ上に供給される。このため、弾性部材１４は弾性部材１４ａ及び弾性部材１４ｂから構成される。
【００４４】
ところが、このように弾性部材１４が供給される場合、弾性部材１４の軌跡の曲率を急激に変動させることは困難であり、したがって弾性部材１４は比較的緩やかなカーブに沿って、比較的大きな振幅でもって供給されることになる。このため、弾性部材１４を受け取る外装体１１は大きくならざるを得ない。
【００４５】
これに対して、本発明による第１実施例では、このような弾性部材を必要としない。しかも、脚回りシート部分６Ｌ，６Ｒの接合領域が縦方向及び横断方向にほぼ沿って形成される。その結果、オムツ１の寸法を大幅に小さくすることができる。
【００４６】
なお、左方脚回りシート部分６Ｌの外方側縁領域６ＬＯＦ，６ＬＯＢ同士の接合部、又は右方脚回りシート部分６Ｒの外方側縁領域６ＲＯＦ，６ＲＯＢ同士の接合部を破壊することにより、脚回り開口１ＬＬ，１ＬＲの大きさを調節することもできる。この場合、上述の接合部の接合強度は、６Ｎ／２５ｍｍから４０Ｎ／２５ｍｍが好ましく、８Ｎ／２５ｍｍから３０Ｎ／２５ｍｍが更に好ましい。接合部の破壊による脚回り開口１ＬＬ，１ＬＲの大きさの調節を可能にしつつ、オムツ１の使用時における接合部の意図しない破壊を阻止できるからである。
【００４７】
図５（Ａ）及び図５（Ｂ）は、切欠き６ＬＣ，６ＲＣの別の実施例を示している。切欠き６ＬＣ，６ＲＣはそれぞれ、図５（Ａ）に示される例では縦方向に延びる長軸を有する半楕円状をなしている。また、図５（Ｂ）に示される例では切欠き６ＬＣ，６ＲＣはそれぞれ、スリットから構成される。
【００４８】
図６（Ａ）及び図６（Ｂ）に示されるように、切欠き６ＬＣ，６ＲＣに換えて、切抜き６ＬＣＣ，６ＲＣＣを脚回りシート部分６Ｌ，６Ｒに形成することもできる。図６（Ａ）に示される例では、切抜き６ＬＣＣ，６ＲＣＣはそれぞれ、横断方向に延びる長軸を有する半楕円状をなしている。図６（Ｂ）に示される例では切抜き６ＬＣＣ，６ＲＣＣはそれぞれ、スリットから構成される。切抜き６ＬＣＣ，６ＲＣＣを縦方向に細長くすることもできる。
【００４９】
図５（Ａ）に示される例では、脚回りシート部分６Ｌ，６Ｒは少なくとも縦方向に伸長性又は伸縮性を有するのが好ましい。これに対し、図５（Ｂ），図６（Ａ），図６（Ｂ）に示される例では、少なくとも横断方向に伸長性又は伸縮性を有するのが好ましい。
【００５０】
切欠き６ＬＣ，６ＲＣ又は切抜き６ＬＣＣ，６ＲＣＣが図２、図５（Ｂ）、図６（Ａ），図６（Ｂ）に示されるように横断方向に細長い場合には、脚回り開口１ＬＬ，１ＬＲは着用者の大腿部に位置することができる。この場合、着用者の動きのある部位が締め付けられるのを抑制しつつ、オムツ１により着用者の体を広範囲で覆うことができる。
【００５１】
一方、切欠き６ＬＣ，６ＲＣが図５（Ａ）に示されるように縦方向に細長い場合には、脚回り開口１ＬＬ，１ＬＲは着用者の鼠径部に位置することができる。この場合、着用者の外観を簡素化することができる。
【００５２】
いずれにしても、脚回り開口１ＬＬ，１ＬＲが着用者の脚よりも小さく形成されているので、着用時に脚回りシート部分６Ｌ，６Ｒが着用者の脚に確実に密着することができる。
【００５３】
次に、切欠き６ＬＣ，６ＲＣ又は切抜き６ＬＣＣ，６ＲＣＣの寸法について、図７を参照して説明する。本発明による第１実施例では、切欠き６ＬＣ，６ＲＣの縦方向長さＬＮＤがオムツ１の縦方向長さＬＮ１の３分の１以下であり（ＬＮＤ≦（１／３）ＬＮ１）、かつ切欠き６ＬＣ，６ＲＣの横断方向長さＷＤＤがオムツ１の横断方向長さＷＤ１の３分の１以下である（ＷＤＤ≦（１／３）ＷＤ１）ように、切欠き６ＬＣ，６ＲＣが形成される。
【００５４】
このようにすると、オムツ１によって着用者の体を十分に覆いながら、脚回り開口１ＬＬ，１ＬＲの大きさを小さくすることができる。したがって、脚回りシート部分６Ｌ，６Ｒを着用者の脚に確実に密着させることができる。
【００５５】
このことは実験によっても確認されている。すなわち、子供用オムツ及び大人用オムツのように縦方向長さＬＮ１及び横断方向長さＷＤ１が互いに異なる複数のオムツについて、ＬＮＤ≦（１／３）ＬＮ１かつＷＤＤ≦（１／３）ＷＤ１であるオムツと、ＬＮＤ＞（１／３）ＬＮ１又はＷＤＤ＞（１／３）ＷＤ１であるオムツとを用意した。これらオムツについてモレの発生頻度を確認したところ、ＬＮＤ≦（１／３）ＬＮ１かつＷＤＤ≦（１／３）ＷＤ１であるオムツでは低いモレ発生頻度が得られた。これに対し、ＬＮＤ＞（１／３）ＬＮ１又はＷＤＤ＞（１／３）ＷＤ１であるオムツでは高いモレ発生頻度が得られた。
【００５６】
切抜き６ＬＣＣ，６ＲＣＣについても同様に寸法設定することができる。
【００５７】
図８、図９及び図１０は本発明による第２実施例を示している。図８、図９及び図１０を参照すると、第２実施例では単一の脚回りシート６が設けられる。この脚回りシート６は、前側部分４Ｆ及び後側部分４Ｂとほぼ同じ横断方向長さを有する。
【００５８】
脚回りシート６は、股部分４Ｃの一側において前側部分４Ｆと後側部分４Ｂとの間の間隙７Ｌに配置された左方脚回りシート部分６Ｌと、股部分４Ｃの他側において前側部分４Ｆと後側部分４Ｂとの間の間隙７Ｒに配置された右方脚回りシート部分６Ｒとを含む。これら脚回りシート部分６Ｌ，６Ｒはそれぞれ、第１実施例と同様に、前側部分４Ｆ，後側部分４Ｂ及び股部分４Ｃに接合される。
【００５９】
すなわち、本発明による第２実施例では、脚回りシート部分６Ｌ，６Ｒが単一の部材から構成される。これに対し、上述の第１実施例では、脚回りシート部分６Ｌ，６Ｒは互いに別の部材から構成される。
【００６０】
特に図９に示されるように、脚回りシート部分６Ｌ，６Ｒはそれぞれ、切抜き６ＬＣＣ，６ＲＣＣを有する。本発明による第２実施例では、切抜き６ＬＣＣ，６ＲＣＣはそれぞれ、横断方向に延びる長軸を有する半楕円状をなしている。なお、脚回りシート部分６Ｌ，６Ｒに、縦方向に細長い切抜き６ＬＣＣ，６ＲＣＣを形成してもよいし、切欠き６ＬＣ，６ＲＣを形成してもよい。
【００６１】
本発明による第２実施例のその他の構成及び作用は第１実施例の構成及び作用と同様である。
【００６２】
図１１及び図１２は股部分４Ｃの一例を本発明による第１実施例に適用した場合を示している。なお、本例を本発明による第２実施例に適用することもできる。
【００６３】
図１１及び図１２に示される例では、股部分４Ｃは、トップシート４ＣＴＳと、バックシート４ＣＢＳと、吸収体４ＣＡとを備える。吸収体４ＣＡは互いに接合されたトップシート４ＣＴＳ及び被覆シート４ＣＣによって覆われ、被覆シート４ＣＣはバックシート４ＣＢＳに接合される。この場合、バックシート４ＣＢＳの幅は吸収体４ＣＡの幅よりも大きく、したがってバックシート４ＣＢＳは吸収体４ＣＡから横断方向Ｔ両側に延出している。脚周りシート部分６Ｌ，６Ｒはこれらの延出部分においてバックシート４ＣＢＳに接合される。なお、図１１及び図１２において、Ａはホットメルト接着剤を示している。なお、図１１及び図１２において、Ａはホットメルト接着剤を示している。
【００６４】
これまで述べてきた実施例では、股部分４Ｃは前側部分４Ｆ及び後側部分４Ｂの弾性部材５Ｆ，５Ｂと重なっていない。しかしながら、股部分４Ｃが弾性部材５Ｆ，５Ｂの少なくとも一部と重なるように、股部分４Ｃを縦方向Ｌに延長し又は弾性部材５Ｆ，５Ｂを配置してもよい。この場合、股部分４Ｃは弾性部材５Ｆ，５Ｂの一方のみと重なっていてもよいし、両方と重なっていてもよい。
【００６５】
また、これまで述べてきた実施例では、脚周りシート部分６Ｌ，６Ｒに切欠き６ＬＣ，６ＲＣ又は切抜き６ＬＣＣ，６ＲＣＣが形成されている。しかしながら、脚周りシート部分６Ｌ，６Ｒに切欠き又は切抜きを設けなくてもよい。すなわち、オムツ１は展開時に、その両側縁１ＬＥ，１ＲＥからそれぞれ内方に向かう凹部１ＤＬ，１ＤＲを有さなくてもよい。この場合、左方脚周りシート６Ｌの外方側縁領域のうち前側部分４Ｆ及び後側部分４Ｂにそれぞれ隣接する部分同士が互いに接合され、この外方側縁領域の縦方向中央部分は接合されず、したがって左方脚周りシート６Ｌの伸長可能領域６ＬＥＸにより囲まれた脚周り開口１Ｌが画定される。同様に、右方脚周りシート６Ｒの外方側縁領域のうち前側部分４Ｆ及び後側部分４Ｂにそれぞれ隣接する部分同士が互いに接合され、この外方側縁領域の縦方向中央部分は接合されず、したがって右方脚周りシート６Ｒの伸長可能領域６ＲＥＸにより囲まれた脚周り開口１Ｒが画定される。
【符号の説明】
【００６６】
１    使い捨てオムツ
１ＬＬ，１ＬＲ    脚回り開口
４Ｆ    前側部分
４Ｂ    後側部分
４Ｃ    股部分
６Ｌ，６Ｒ    脚回りシート部分
６ＬＣ，６ＲＣ    切欠き
【図１】
0005901134.tif 000002
【図２】
0005901134.tif 000003
【図３】
0005901134.tif 000004
【図４】
0005901134.tif 000005
【図５】
0005901134.tif 000006
【図６】
0005901134.tif 000007
【図７】
0005901134.tif 000008
【図８】
0005901134.tif 000009
【図９】
0005901134.tif 000010
【図１０】
0005901134.tif 000011
【図１１】
0005901134.tif 000012
【図１２】
0005901134.tif 000013